(57)【特許請求の範囲】
【請求項１】
支柱等に着脱自在に取付られ、棚板の左右端部に位置する左右ブラケットと、左右ブラケットに着脱自在に取付られる棚板よりなる棚板支持装置において、前記左右ブラケットは、上端面に水平方向に突出する棚板載置面を有して左右対称形に形成され、前記棚板は、棚板左右端部内側下面に前記棚板載置面の幅寸法と等しいかやや大きめの棚板水平支持面と、棚板水平支持面の内側に位置して、前方から後方に向かって下方に傾斜する棚板傾斜支持面を有しており、棚板を水平に支持する時は、棚板載置面が外方に突出する方向に左右ブラケットを支柱等に取り付けて、棚板載置面に棚板水平支持面を連結し、棚板を前下がりに支持する時は、棚板載置面が内方に突出する方向に左右ブラケットを支柱等に取り付けて、棚板載置面に棚板傾斜支持面を連結した事を特徴とする棚板支持装置。
【発明の詳細な説明】
【０００１】
【発明の属する技術分野】
本発明は、特にディリングルールで使用されるモニター画面を載置する載置棚に使用されるもので、棚板を水平姿勢あるいは前下りの傾斜姿勢に変更自在な棚板支持装置に関するものである。
【０００２】
【従来の技術】
従来、上記装置としては、図７、図８に示すように、ブラケット１ａの後端に支柱２ａ等の係止孔３ａ・・・に係止する複数個の係止爪４ａ，５ａ、６ａを形成し、係止爪４ａ，５ａのそれぞれに、第１係止部４ｂ、５ｂ、第２係止部４ｃ、５ｃを、係止爪６ａには係止部６ｂが形成されている。
そして、棚板を水平状態に取りつけるには、支柱２ａ等の係止孔３ａ・・・に係止爪４ａ，５ａ、６ａのそれぞれの第１係止部４ｂ、５ｂ、係止部６ｂを係止してブラケットを水平状態に支持して、連結支持部３０ａに棚板を支持する。
一方、棚板を前下りの傾斜状態に支持するには、支柱２ａ等の係止孔３ａ・・・に係止爪４ａ，５ａ、６ａのそれぞれの第２係止部４ｃ、５ｃ、係止部６ｂを係止してブラケットを前下がりの傾斜状態に支持して、連結支持部３０ａに棚板を連結する構成となっている。
すなわち、上記構成の場合、係止爪の前後方向に複数個の係止部を形成しているので、係止爪は前後方向に長くなり、引っ張り、座屈等に弱く、特に傾斜姿勢での強度に問題があり、重量物を棚板上に載置する仕様としては好ましくなかった。
【０００３】
【発明が解決しようとする課題】
本発明は上記問題に鑑みてなされたものであり、簡単な構造で、強度的に優れ、取り扱い等も容易な高荷重向けの棚板支持装置を提供する事を課題とする。
【０００４】
【課題を解決する為の手段】
そこで、上記課題を解決する為、本発明は、支柱等に着脱自在に取付られ、棚板の左右端部に位置する左右ブラケットと、左右ブラケットに着脱自在に取付られる棚板よりなり、前記左右ブラケットは、上端面に水平方向に突出する棚板載置面を有して左右対称形に形成され、前記棚板は、棚板左右端部内側下面に前記棚板載置面の幅寸法と等しいかやや大きめの棚板水平支持面と、棚板水平支持面の内側に位置して、前方から後方に向かって下方に傾斜する棚板傾斜支持面を有しており、棚板を水平に支持する時は、棚板載置面が外方に突出する方向に左右ブラケットを支柱等に取り付けて、棚板載置面に棚板水平支持面を連結し、棚板を前下がりに支持する時は、棚板載置面が内方に突出する方向に左右ブラケットを支柱等に取り付けて、棚板載置面に棚板傾斜支持面を連結したものである。
【０００５】
【実施例】
以下、本発明を図面に基づいて説明する。
符号１、１は左右一対のブラケットを示し、符号２は棚板を示し、符号３は支柱を示している。
図示する支柱３は、棚板２の左右方向への設置枚数より１つ少ない本数分が立設される連設用支柱で、左右前後方向に対称形に形成され、左右端部側の前後面に、上下方向に所定間隔を有する複数個の係止孔３１・・・が形成されている。
一方、図示されていないが、支柱３（連設用支柱）の右半分あるいは左半分と同形で、連設された棚板２・・・の最端部側に位置して立設される左右端部側支柱にも係止孔３１・・・が形成されている。
【０００６】
そして、棚板２が左右方向に１枚の場合は、左右端部側支柱とブラケット１・・・と棚板２・・・より、棚板２が左右方向に複数枚の場合は、左右端部側支柱と支柱３・・・とブラケット１・・・と棚板２・・・よりモニター画面の載置台が構成される。
さらに、上記モニター画面は、着席状態の使用者の頭上に左右方向に複数台載置されたり、単に資料等が使用者の目線高さに載置されたりするのに対応して、使用者が目視し易いように、モニター画面を下方に傾斜するよう棚板２を前下りに傾斜して支持したり、単に水平状態に支持したりする必要がある。
【０００７】
以下、棚板２を水平状態に支持する時のブラケット１の使用状態を基準として説明する。
図１に左側ブラケット１を図２に右側ブラケット１を示している。
左右側ブラケット１、１は左右対称形に形成されているので、左側ブラケット１についてのみ説明する。
左側ブラケット１は、略３角形状の基板１１と、基板１１の後端部に連設された上下方向に前記係止孔３１・・・に対応する間隔で連設された下向き鉤形の係止爪１２・・・と、基板１１の上端面に外方（左側方向）に向かって突出して連設された（右側ブラケット１の場合は内方に向かって連設された）棚板載置面１３より構成され、棚板載置面１３の前後方向所定位置に棚板２を連結するための連結孔１３１、１３１が形成されている。
【０００８】
棚板２は、左右端部を下方に内向きＬ字形に折り曲げて下端面を棚板水平支持面２１、２１となし、前記ブラケット１の連結孔１３１、１３１に対応して前後方向に連結螺孔（図示せず。）を有する左右端縁２０、２０と、前端部を上方におりまげた前縁２２と、後端を下方に内向きＬ字形に折り曲げた後縁２３を有する上面板２４と、前縁２２と固着された略コ字方の前面板２５と、上面板２４の下面左右方向に配設された横補強材２６と、棚板水平支持面２１、２１の内側で、前方から後方に向かって下方に傾斜して、下面に棚板傾斜支持面２８と棚板傾斜面２８に前記ブラケット１の連結孔連結句に対応して前後方向に連結螺孔２８１、２８１を有する左右縦補強材２９より構成されている。
符号２４１は、上面板２４上にモニター画面が載置された時に、不測に落下するのを防止するために設けられた、奥行方向で取付位置が選択可能な落下防止部を示している。
【０００９】
本発明は上記の如く構成されており、棚板２を水平姿勢に支持する場合は、左右側ブラケット１、１を棚板載置面１３、１３が外方に突出するよう支柱３に係止し、棚板２の棚板水平支持面２１、２１を棚板載置面１３、１３上に載置し、連結孔１３１、１３１と連結螺孔を介してネジ止め連結し棚板２を水平姿勢に支持する。
次に、棚板２を前下りの傾斜姿勢に支持する場合は、棚板載置面１３、１３が内向きに突出するよう、前記ブラケット１、１の左右をいれかえて支柱３に係止する。そして、棚板２をブラケット１、１上に載置すると棚板載置面１３、１３内方に突出しているので、左右縦補強材２９、２９の棚板傾斜支持面２８が棚板載置面１３、１３に当接し、連結螺孔２８１、２８１と連結孔を介してネジ止め連結し棚板２を傾斜姿勢に支持する。
尚、実施例では、ブラケット１を支柱３に取り付けてモニター画面載置台としているが、例えば、移動間仕切り等にブラケットを取り付ける事も可能で、本発明が利用される商品は多種多様である。
【００１０】
【発明の効果】
本発明は上記の如く構成されているので、左右のブラケットをいれかえて使用すつ事で、棚板を水平支持でも傾斜支持でも選択可能であり、ブラケットを傾斜して取り付ける構成ではないので、ブラケットの強度が低下する事がなく、棚板の傾斜支持面を支持する構成であるから、重量物の載置に適しており、部品点数も少なくてすむから、在庫管理等の取り扱いも容易である。
【図面の簡単な説明】
【図１】    本発明の左側ブラケットの斜視図。
【図２】    本発明の右側ブラケットの斜視図。
【図３】    棚板を傾斜状態に支持した時の要部正面図
【図４】    棚板を水平状態に支持した時の要部正面図
【図５】    図３のＡ−Ａ線断面図
【図６】    図４のＢ−Ｂ線断面図
【図７】    従来のブラケットを水平姿勢に取り付けた状態の側面図
【図８】    従来のブラケットを傾斜姿勢に取り付けた状態の側面図
【符号の説明】
１                ブラケット
１３              棚板載置面
２                棚板
２１              棚板水平支持面
２８              棚板傾斜支持面
３                支柱
【図１】
0003656040.tif 000002
【図２】
0003656040.tif 000003
【図３】
0003656040.tif 000004
【図４】
0003656040.tif 000005
【図５】
0003656040.tif 000006
【図６】
0003656040.tif 000007
【図７】
0003656040.tif 000008
【図８】
0003656040.tif 000009